(57)【要約】      （修正有）【課題】膝掛けや毛布を併用することにより下半身全体を暖めることのできる暖房器付椅子であって、膝掛けや毛布の裾が椅子の脚部に絡むことのない移動可能な暖房器付椅子を提供する。【解決手段】座板と該座板の周縁部から下方向に垂設される連続壁状の脚部からなる椅子の該脚部の前面を開口させることによって、前方が開放された座板下空間を形成し、前記の脚部を平板状の台上に固着し、前記座板下空間内の前記の台上あるいは前記の座板の裏面には暖房器を固着し、さらに、前記の台が平板状の下敷き上を一方向にのみ移動できるように構成した。【選択図】図２
0003117951.tif 000002
【実用新案登録請求の範囲】
【請求項１】
座板と該座板の周縁部から下方向に垂設される連続壁状の脚部からなる椅子の該脚部の前面が開口することによって、前方が開放された座板下空間が形成され、
前記脚部は平板状の台上に固着され、
前記座板下空間内の前記台上または前記座板の裏面には暖房器が固着されている、ことを特徴とする暖房器付椅子。
【請求項２】
前記台はその裏面に固着された複数個の全方向に移動可能な自在型キャスターまたは前後方向に移動可能な固定型キャスターを具え、
全方向にまたは前後方向に移動可能である、ことを特徴とする請求項１に記載の暖房器付椅子。
【請求項３】
前記固定型キャスターを具える前記台は移動自在に平板状の下敷き上に載置され、
前記下敷きの前記台の移動方向に平行な両側縁には一対のガイドレールが固着され、
前記台裏面の移動方向に直交する前端縁には前記一対のガイドレールとは僅かなクリアランスを有する仕切り板が垂設され、
前記台は前記ガイドレールにガイドされて前後方向に移動する、ことを特徴とする請求項２に記載の暖房器付椅子。
【請求項４】
前記一対のガイドレールは断面が矩形であり、
前記台裏面の移動方向の両側縁近傍には一対のガイド板が移動方向に沿って垂設され、
前記ガイド板は前記ガイドレールの内側面または外側面に緩やかに当接して前記ガイドレールに沿って摺動して、前記下敷き上を前記台が前後方向に移動する、ことを特徴とする請求項３に記載の暖房器付椅子。
【請求項５】
前記一対のガイドレールは断面が上方に開放された溝形であり、
前記台裏面の両側縁にはその先端に回動方向が水平の車輪が回動自在に取着された複数個のガイドローラが垂設され、
前記ガイドローラの車輪は前記ガイドレールのフランジ面に当接しながら回転して、前記下敷き上を前記台が前後方向に移動する、ことを特徴とする請求項３に記載の暖房器付椅子。
【請求項６】
前記台上には水平方向に回動する回転盤が取着され、
前記椅子が前記回転盤上に固着されることにより前記台上に前記回転盤を介して固着されている、ことを特徴とする請求項３ないし請求項５に記載の暖房器付椅子。
【考案の詳細な説明】
【技術分野】
【０００１】
本考案は、下半身全体を暖めることのできる暖房器付椅子に関する。
【背景技術】
【０００２】
従来から使用されている暖房具にコタツがある。このコタツは畳に座る日本の生活習慣から生まれたものであり、畳の上に足を折り曲げて座る動作は膝、脚、腰に負担が掛かることから、近年では、椅子に座る習慣を持つ者の方が畳に座る習慣を持つ者よりも多くなっている。このような生活習慣の変化を背景として、椅子に暖房器具を組み込んだ考案が提案されている。
【０００３】
たとえば、実開平５−８８３５９号公報に開示された考案は、「座り心地を損なわずに、内蔵するヒーターからの熱を外装材表面に伝えやすい、暖房効果の高い椅子を提供すること」を目的としていて、「座板上、または背板上にヒーターを配し、さらにこのヒーター上にクッション材を配して、これらヒーター、クッション材等をカバーにて覆い外装する椅子において、このクッション材に大小の貫通穴を任意の数だけ設ける」構成とすることにより、その目的を達成しようとしたものである。
【特許文献１】実開平５−８８３５９号公報
【考案の開示】
【考案が解決しようとする課題】
【０００４】
しかしながら、実開平５−８８３５９号公報に開示された考案は、暖房効果の高い椅子を提供するとはいっても、身体の暖まる箇所は臀部や背中であり、下半身全体を暖めるものではない。このため、別個の暖房器具を足元に置いたり膝から下を膝掛けや毛布で覆ったりする必要が生ずるが、膝掛けや毛布で覆った場合に、この椅子を移動させようとすると床に垂れた膝掛けや毛布の裾が椅子のキャスターに絡んだりして思うように椅子を動かすことができないという不都合があった。
【０００５】
そこで、本考案は、膝掛けや毛布を併用することにより下半身全体を暖めることのできる暖房器付椅子であって、膝掛けや毛布の裾が椅子の脚部に絡まないような移動可能な暖房器付椅子を提供することを目的とする。
【課題を解決するための手段】
【０００６】
上記課題を解決するために、請求項１に係る暖房器付椅子は、座板と該座板の周縁部から下方向に垂設される連続壁状の脚部からなる椅子の該脚部の前面が開口することによって、前方が開放された座板下空間が形成され、前記脚部は平板状の台上に固着され、前記座板下空間内の前記台上または前記座板の裏面には暖房器が固着されている、ことを特徴としている。
また、請求項２に係る暖房器付椅子は、請求項１に記載の暖房器付椅子であって、前記台はその裏面に固着された複数個の全方向に移動可能な自在型キャスターまたは前後方向に移動可能な固定型キャスターを具え、全方向にまたは前後方向に移動可能である、ことを特徴としている。
そして、請求項３に係る暖房器付椅子は、請求項２に記載の暖房器付椅子であって、前記固定型キャスターを具える前記台は移動自在に平板状の下敷き上に載置され、前記下敷きの前記台の移動方向に平行な両側縁には一対のガイドレールが固着され、前記台裏面の移動方向に直交する前端縁には前記一対のガイドレールとは僅かなクリアランスを有する仕切り板が垂設され、前記台は前記ガイドレールにガイドされて前後方向に移動する、ことを特徴としている。
さらに、請求項４に係る暖房器付椅子は、請求項３に記載の暖房器付椅子であって、前記一対のガイドレールは断面が矩形であり、前記台裏面の移動方向の両側縁近傍には一対のガイド板が移動方向に沿って垂設され、前記ガイド板は前記ガイドレールの内側面または外側面に緩やかに当接して前記ガイドレールに沿って摺動して、前記下敷き上を前記台が前後方向に移動する、ことを特徴としている。
また、請求項５に係る暖房器付椅子は、請求項３に記載の暖房器付椅子であって、前記一対のガイドレールは断面が上方に開放された溝形であり、前記台裏面の両側縁にはその先端に回動方向が水平の車輪が回動自在に取着された複数個のガイドローラが垂設され、前記ガイドローラの車輪は前記ガイドレールのフランジ面に当接しながら回転して、前記下敷き上を前記台が前後方向に移動する、ことを特徴としている。
そして、請求項６に係る暖房器付椅子は、請求項３ないし請求項５に記載の暖房器付椅子であって、前記台上には水平方向に回動する回転盤が取着され、前記椅子が前記回転盤上に固着されることにより前記台上に前記回転盤を介して固着されている、ことを特徴としている。
【考案の効果】
【０００７】
請求項１に係る考案では、座板の下部に位置する脚部全体が前方を除いて囲繞されていて座板の下部に暖房器が設置されている。このため、使用者が椅子に座った状態で膝掛けや毛布を膝にかけて、暖房器のスイッチを入れれば、暖房器の熱は座板の下部から逃げることはなく、かつ、暖房器はいわば、座板の下部に形成された前方にのみ開口する筐体に収納された状態となっているから、暖房器の熱は有効に前方にのみ放出され、使用者の下半身全体を効率よく暖めることができる。
なお、座板の下部に形成された座板下空間は、前方が開放されているが、排気孔や換気孔が必要な暖房器では、背面に開口部を設けて排気や換気をすることにしても良い。
ところで、本考案における脚部とは、座板を床から所定の高さに保持する座板の支持部材をいい、板状に連なった支持部材である必要があるが、それぞれが独立した支持部材の場合には、それぞれの支持部材を連結する補助部材を用いても良く、このようにすれば同様の効果を得ることができる。
また、本考案において、前方とは、使用者が本考案に係る椅子に腰掛けた時に使用者の膝頭が向く方向をいい、後方とは、使用者が本考案に係る椅子に腰掛けた時に使用者の背中が向く方向をいう。したがって、台の移動方向である前後方向とは、該台上に固着された椅子を基準とした方向であって、その向きは前述した前方および後方と同一である。
【０００８】
また、請求項２に係る考案では、平板状の台は複数個の全方向に移動可能な自在型キャスターまたは前後方向にのみ移動可能な固定型キャスターを具えているから、暖房器付椅子を固定した位置で使用するだけではなく、必要に応じて簡単に移動して使用することができる。
なお、自在型キャスターとは、キャスターの向きが自在に変わることにより、全方向に移動できるようになっているキャスターをいい、固定型キャスターとは、キャスターの向きが固定されて一方向にのみ移動できるようになっているキャスターをいう。
【０００９】
さらに、請求項３に係る考案では、台は平板状の下敷き上を前後に移動するようになっているから、畳や絨毯のような柔らかい床であっても、固定型キャスターが床にのめり込むことなくスムーズに移動することができる。また、台の下面の前端縁には一対のガイドレールとは僅かなクリアランスを有する仕切り板が垂設されていて、この仕切り板により、暖房器付椅子が移動する下敷き上に使用者が膝にかけた膝掛けや毛布の裾が垂れても椅子の脚部に絡まることはない。
【００１０】
また、請求項４および請求項５に係る考案では、一対のガイドレールにガイド板が摺動して、あるいはガイドローラが一対のガイドレールのフランジ面に当接しながら回転して、下敷き上を台が前後方向に移動するようになっているから、暖房器付椅子は下敷き上から外れることなくスムーズに移動することができる。
【００１１】
そして、請求項６に係る考案では、暖房器付椅子が回転盤上に固着されているから、該暖房器付椅子は自在に回転してその向きを変えることができ、該暖房器付椅子に座ったり該暖房器付椅子から立ち上がったりすることが、極めて容易にできる。
【考案を実施するための最良の形態】
【００１２】
本考案を実施するための最良の形態に係る実施例１ないし実施例３について、図１ないし図６に基づいて説明する。ここで、図１は、実施例１ないし実施例３に係る暖房器付椅子の使用状況図、図２は実施例１ないし実施例３に係る暖房器付椅子の側面図、図３は実施例１に係る暖房器付椅子の正面図、図４は実施例２に係る暖房器付椅子の正面図、図５は実施例３に係る暖房器付椅子の正面図、図６は実施例４に係る暖房器付椅子の背面斜視図であり、符号１は実施例１に係る暖房器付椅子、符号２は実施例２に係る暖房器付椅子、符号３は実施例３に係る暖房器付椅子、符号１０は椅子、符号１２は座板、符号１４は脚部、符号１６は背板、符号１８は前面開口部、符号２０は暖房器、符号２２は電気コード、符号３２は台、符号３４は固定式キャスター、符号３６は仕切り板、符号３８はガイド板、符号４０はガイドローラ、符号４２は回転盤、符号４４は下敷き、符号４６はガイドレール、符号５０は上掛け、符号５２はテーブルである。
【００１３】
まず、実施例１に係る暖房器付椅子１について、図１ないし図３を基に説明する。暖房器付椅子１は、大別して椅子１０、暖房器２０、台３２および下敷き４４から構成されている。
【００１４】
椅子１０は平面視が円形の座板１２、座板１２を支持する脚部１４および背板１６とから構成されていて、脚部１４は座板１２の周縁部から下方向に垂設された連続する壁状となっている。そして、椅子１０の前面の脚部１４には前面開口部１８が形成されていて、脚部１４により形成された座板１２下の空間と外部とが前面開口部１８を介して連通している。なお、座板１２は、円形以外の矩形や台形などの形状とすることも可能であることは勿論である。
【００１５】
暖房器２０は座板１２下の空間内に設置されているが、実施例１では、座板１２の裏面に固着されていて、この暖房器２０には、テーブル式コタツ用のヒーターユニットが使用されているが、これに限定されるものではない。また、暖房器２０は後述する台３２上に固着しても良いが、その場合には、掘りコタツ用のヒーターユニットを使用することができる。このように、暖房器２０には、コタツ用のヒーターユニットが最適であるが、たとえば、電熱器などのような他の暖房器を使用することもできる。
【００１６】
暖房器付椅子１が前後方向に移動可能となる仕組みは、平板状の台３２、台３２の裏面に複数個固着された固定式キャスター３４および平板状の下敷き４４とに因るものである。
すなわち、台３２の裏面の固定式キャスター３４、３４、・・・はすべて同一方向に移動するように固着されていて、移動方向は、本考案における前後方向に一致するようになっている。また、台３２の表面には椅子１０が固着されている。そして、台３２裏面の側縁部近傍には台３２の移動方向に平行にガイド板３８、３８が固着され、台３２の移動方向に直交する前端および後端の側縁部には仕切り板３６、３６が固着されていて、台３２を下敷き４４上に載置したときには、ガイド板３８、３８および仕切り板３６、３６は下敷き４４の上面とはわずかなクリアランスを有するようになっている。
【００１７】
また、下敷き４４の台３２の移動方向に平行な側縁部には、一対のガイドレール４６、４６が固着されていて、このガイドレール４６の断面は矩形を呈している。そして、台３２を下敷き４４上に載置したときには、ガイドレール４６の内側の面とガイド板３８とはわずかなクリアランスを有し、かつ、ガイドレール４６、４６の内側の面と仕切り板３６の両端とはわずかなクリアランスを有するようになっている。
【００１８】
ここで、暖房器付椅子１の作用について説明する。
下敷き４４を部屋の所定の位置に設置し、下敷き４４上に椅子１０が固着された台３２をセットすることにより、暖房器付椅子１は組み立てられる。
暖房器付椅子１を使用するときには、まず、暖房器２０から延伸する電気コード２２の先端のプラグを室内のコンセントに差込む。そして、使用者は椅子１０に腰掛けた後、上掛け５０を膝にかけて暖房器２０のスイッチを入れると、暖房器２０は脚部１４により形成された座板１２下の空間内を暖めるとともに、前面開口部１８により、上掛け５０で覆われた使用者の腰から下の部分も満遍なく暖める。ここで、脚部１４を断熱性に優れた材料を使用することにより、暖房効果をより一層高めることができる。
【００１９】
使用中の暖房器付椅子１を前後に移動させるには、使用者の足を台３２の両側の床に置き、つま先で床を蹴れば、台３２に固着された固定式キャスター３４、３４、・・・により、下敷き４４上をガイドレール４６に沿って簡単に前後に移動させることができる。また、ガイド板３８がガイドレール４６を摺動しながら移動するから、台３２が下敷き４４から外れることはない。また、暖房器付椅子１は平板状の下敷き４４上を移動することになるから、畳や絨毯であってもスムーズに移動できるばかりでなく、下敷き４４上のみを移動することになるから、暖房器付椅子１の動く範囲は明確に分かるので、室内のスペースを有効に使うことができる。
さらに、暖房器付椅子１を前後に移動させても、台３２の前端および後端には、仕切り板３６が固着されているから、上掛け５０の裾が台３２内に巻き込まれることはない。
なお、この「台３２が前後方向に移動可能である」という機能は、暖房器付椅子１と書斎机とを併用した場合によりいっそう効果的に現れる。すなわち、書斎机（図示外）から少し離れた位置で使用者が暖房器付椅子１に座って上掛け５０を膝にかけた後、前方に暖房器付椅子１を移動させることにより、書斎机に対して最適な位置で仕事をすることができ、また、書斎机から離れる場合にも、暖房器付椅子１を簡単に後ろに下がらせることができる。この機能は、後述する暖房器付椅子２および暖房器付椅子３についても同様である。
【００２０】
つぎに、実施例２に係る暖房器付椅子２について、主に図４を基に説明する。暖房器付椅子２は、暖房器付椅子１の構成および作用と略同様であり、異なるところは、台３２の下敷き４４に対するガイド方法であるので、ここでは、主にガイド方法についてのみ説明する。
【００２１】
下敷き４４の台３２の移動方向に平行な側縁部には、一対のガイドレール４６、４６が固着されていて、このガイドレール４６の断面は上方が開放された溝形を呈している。一方、台３２の移動方向に平行な側縁部近傍には、それぞれ複数個のガイドローラ４０が固着されていて、このガイドローラ４０は、丸棒状の車軸とその先端に回動自在に取着された回動方向が水平の車輪とから構成されていて、丸棒状の車軸の基端部が台３２の裏面に固着されている。そして、ガイドレール４６内にガイドローラ４０の車輪が緩やかに嵌合して、下敷き４４上を台３２が前後方向に移動するに際しては、ガイドレール４６のフランジ面に当接しながらガイドローラ４０の車輪が回転するようになっている。
このような構成により、暖房器付椅子２は暖房器付椅子１よりもスムーズに前後方向に移動することができる。
【００２２】
つぎに、実施例３に係る暖房器付椅子３について、主に図５を基に説明する。暖房器付椅子３は、暖房器付椅子１および暖房器付椅子２の構成および作用と略同様であるが、暖房器付椅子３は、暖房器付椅子１および暖房器付椅子２の構成要素にさらに付加した構成要素を有しているので、ここでは、付加した構成要素について説明する。
【００２３】
暖房器付椅子３の付加された構成要素は、台３２上に載置した回転盤４２である。この回転盤４２は台３２に対して水平方向に回動自在に取着されていて、いわばターンテーブル状となっている。この回転盤４２は概ね座板１２の形状と同様になっていて、矩形であっても円形であっても良いことは勿論である。また、図５では、暖房器付椅子１に付加した状態になっているが、暖房器付椅子２に付加することもできる。
台３２と椅子１０との間に回転盤４２が介在することにより、椅子１０はその場で左右に回転することができる。すなわち、使用前あるいは使用中の暖房器付椅子３を前後に移動させるとともに、移動させたその位置で暖房器付椅子３を左右に回転させれば、使用者はきわめて簡単に暖房器付椅子３に座ったり暖房器付椅子３から立ち上がったりすることができる。
【００２４】
そして、実施例４に係る暖房器付椅子について、主に図６を基に説明すると、実施例４は実施例１ないし実施例３に係る暖房器付椅子に使用される上掛け５０に関するものである。すなわち、暖房器付椅子４自体は実施例１ないし実施例３に係る暖房器付椅子であり、これらの暖房器付椅子に使用される上掛け５０を椅子１０の背板側に巻回し、その裾部分を相互に縫着（図示）、掛着あるいは係着等したものである。
このように上掛け５０を椅子１０の背板側に巻回して相互に縫着することにより、上掛け５０は使用者の下半身全体を隙間なく覆い、暖房効果はより一層高められる。
【図面の簡単な説明】
【００２５】
【図１】図１は、実施例１ないし実施例３に係る暖房器付椅子の使用状況図である。
【図２】図２は、実施例１ないし実施例３に係る暖房器付椅子の側面図である。
【図３】図３は、実施例１に係る暖房器付椅子の正面図である。
【図４】図４は、実施例２に係る暖房器付椅子の正面図である。
【図５】図５は、実施例３に係る暖房器付椅子の正面図である。
【図６】図６は、実施例４に係る暖房器付椅子の背面斜視図である。
【符号の説明】
【００２６】
１    実施例１に係る暖房器付椅子
２    実施例２に係る暖房器付椅子
３    実施例３に係る暖房器付椅子
４    実施例４に係る暖房器付椅子
１０    椅子
１２    座板
１４    脚部
１６    背板
１８    前面開口部
２０    暖房器
２２    電気コード
３２    台
３４    固定式キャスター
３６    仕切り板
３８    ガイド板
４０    ガイドローラ
４２    回転盤
４４    下敷き
４６    ガイドレール
５０    上掛け
５２    テーブル
【図１】
0003117951.tif 000003
【図２】
0003117951.tif 000004
【図３】
0003117951.tif 000005
【図４】
0003117951.tif 000006
【図５】
0003117951.tif 000007
【図６】
0003117951.tif 000008
【手続補正書】
【提出日】平成17年10月31日(2005.10.31)
【手続補正１】
【補正対象書類名】明細書
【補正対象項目名】００１２
【補正方法】変更
【補正の内容】
【００１２】
本考案を実施するための最良の形態に係る実施例１ないし実施例４について、図１ないし図６に基づいて説明する。ここで、図１は、実施例１ないし実施例３に係る暖房器付椅子の使用状況図、図２は実施例１ないし実施例３に係る暖房器付椅子の側面図、図３は実施例１に係る暖房器付椅子の正面図、図４は実施例２に係る暖房器付椅子の正面図、図５は実施例３に係る暖房器付椅子の正面図、図６は実施例４に係る暖房器付椅子の背面斜視図であり、符号１は実施例１に係る暖房器付椅子、符号２は実施例２に係る暖房器付椅子、符号３は実施例３に係る暖房器付椅子、符号４は実施例４に係る暖房器付椅子、符号１０は椅子、符号１２は座板、符号１４は脚部、符号１６は背板、符号１８は前面開口部、符号２０は暖房器、符号２２は電気コード、符号３２は台、符号３４は固定式キャスター、符号３６は仕切り板、符号３８はガイド板、符号４０はガイドローラ、符号４２は回転盤、符号４４は下敷き、符号４６はガイドレール、符号５０は上掛け、符号５２はテーブルである。